(57)【特許請求の範囲】
【請求項１】
木製の素材からなる、プレートジョイントホルダー本体（１）を背面から見て、上部右側に上部Ｕ字型フックを差し込む穴（７）と、上部左側に上部キャップを固定する溝（６）を設け、ビニールでコーティングした金属製の針金（９）をＵの字の形状にして、上部の一方の先端（１０）を、上部Ｕ字型フックを差し込む穴（７）に差込み、接着剤（８）で固定し、上部の他方の先端（１１）には、キャップ（５）を被せ、上部の他方の先端（１１）を前記溝（６）と前記穴（７）の位置を結んだ直線上に配置し、又下部もホルダー本体（１）を背面から見て、中点にて上部と点対称となるようにＵ字型フックを取り付け、上部下部ともＵ字型フックを使える構造にして、ビニール（４）と、針金（３）の接する部分は、上部下部ともに接着剤で固定していないため、左右に回る構造であり、左右に１８０度回転させると前記穴（７）に差し込むことができることを特徴とするプレートジョイントホルダー。
【請求項２】
プレートジョイントホルダー本体（１）の木製の素材を金属・合成樹脂に変えて使用する請求項１記載のプレートジョイントホルダー。
【請求項３】
プレートジョイントホルダー本体（１）の正面・背面に文字・彫刻・デコレーション（装飾）や、好みにより手描きで描いて使用できる請求項１記載のプレートジョイントホルダー。
【発明の詳細な説明】
【技術分野】
【０００１】
本発明は，プレートに固定させた上下のＵ字型フックを右に回転させて繋ぎ合わせるジョイントホルダーに関する。
【背景技術】
【０００２】
木製の素材からなるプレート本体にＵ字型フックを上下に使用して、右に回転させ、繋ぎ合わせるジョイントホルダーであり、プレートに根元を接着剤で固定して、回転できる構造のジョイントホルダーは他に見当たらない。
特許文献１、特開２００２−０２８０６６号公報「キーホルダー」。  
特許文献２、実登３００５９７０公報「キーホルダー」。
【先行技術文献】
【特許文献】
【０００３】
【特許文献１】特開２００２−０２８０６６号公報
【特許文献２】実登３００５９７０号公報
【発明の概要】
【発明が解決しようとする課題】
【０００４】
従来のジョイントホルダーは、一体式のリング状のものが多く、直接文字や絵を描く部分がなかった。又、今までの他の技術ではコストも高い。
これらの欠点は、解決しなければならない課題であり、それを解決するために発明したものである。
【課題を解決するための手段】
【０００５】
本発明は、課題を解決するために以下の構成とする。
木製の素材からなる、プレートジョイントホルダー本体（１）を背面から見て、上部右側に上部Ｕ字型フックを差し込む穴（７）と、下部左側に下部Ｕ字型フックを差し込む穴（７−１）を設けた。
また、上部左側に上部キャップを固定する溝（６）と下部右側には、下部キャップを固定する溝（６−１）を設けた。
【０００６】
「上部Ｕ字型フック」
ビニールでコーティングした金属製の針金（９）をＵの字の形状にして、上部の一方の先端（１０）を、上部Ｕ字型フックを差し込む穴（７）に差込み、接着剤（８）で固定した。
上部他方の先端（１１）には、キャップ（５）を被せた構造にした。
【０００７】
「下部Ｕ字型フック」
ビニールでコーティングした金属製の針金（９）をＵの字の形状にして、下部の一方の先端（１０−１）を、下部Ｕ字型フックを差し込む穴（７−１）に差込み、接着剤（８）で固定した。
下部の他方の先端（１１−１）には、キャップ（５）を被せた構造にした。
即ち、本発明は、プレートジョイントホルダー本体（１）の背面から見て、中点で点対称となる。
【発明の効果】
【０００８】
イ．プレートジョイントホルダーは、輪の付いているものを簡単に左右に分けて繋ぎ合わせたり、フックに引っ掛ける事ができる。
ロ．プレートジョイントホルダーは、プレート部正面と背面に直接マジックペンで文字や絵を描ける。又彫刻したりシールを貼ったりデコレーションをする事が出来る。
ハ．形状が簡単なために、ローコストで製造できる。
また、安価で消費者に提供できる。
【図面の簡単な説明】
【０００９】
【図１】フックを固定した状態の正面図
【図２】フックを固定した状態の側面断面図
【図３】フックを固定した状態の背面断面図
【図４】フックを開放した状態の背面断面図
【図５】フックを開放した状態の底面図
【発明を実施するための形態】
【００１０】
発明の実施形態について説明する。
木製の素材からなる、ジョイントホルダー本体（１）を背面から見て、上部右側に上部Ｕ字型フックを差し込む穴（７）と、下部左側に下部Ｕ字型フックを差し込む穴（７−１）を設けた。
また、上部左側に上部キャップを固定する溝（６）と下部右側には、キャップを固定する溝（６−１）を設けた。
【００１１】
ビニールでコーティングした金属製の針金（９）をＵの字の形状にして、上部の一方の先端（１０）を、上部Ｕ字型フックを差し込む穴（７）差込み、接着剤（８）で固定した。
他方の先端（１１）には、キャップ（５）を被せた構造にした。
【００１２】
ビニールでコーティングした金属製の針金（９）をＵの字の形状にして、下部の一方の先端（１０−１）を、下部Ｕ字型フック（２−１）の下部Ｕ字型フックを差し込む穴（７−１）に差込み、接着剤（８）で固定した。
下部の他方の先端（１１−１）には、キャップ（５）を被せた構造にした。
即ち、本発明は、プレートジョイントホルダー本体（１）の背面から見て、中点で点対称となる。
【００１３】
木製の素材から合成樹脂・金属に変えて使用できる、プレートジョイントホルダー本体（１）であり、正面・背面に動物の絵、花、文字、をレーザー彫刻やデコレーション（装飾）をして使用することも出来る事と、プレートジョイントホルダー本体（１）の裏表に、手描きで文字が描ける構造にした。
【００１４】
上部Ｕ字型フックを差し込む穴（７）に、接着剤（８）を入れて、ビニールでコーテ
ィングした金属製針金（９）も差し込んで固定しているが、  金属製針金（３）とビ
ニール（４）の接する部分は固定されていないため、回る構造である。
また、下部Ｕ字型フックを差し込む穴（７−１）に、ビニールでコーティングした
金属製針金（９）を差し込んで、接着剤（８）で固定しているが上記同様に、金属
製針金（３）とビニール（４）の接する部分は、固定されていないため、左右に１８０度まで回転自在に回る構造である。
【００１５】
上部キャップを固定する溝（６）にキャップ（５）を入れる場合は、溝の入り口を狭くしてあるため、指で強く押して固定できる構造にした。（図５）
【符号の説明】
【００１６】
（１）       プレートジョイントホルダー本体
（２）       上部Ｕ字型フック
（２−１）   下部Ｕ字型フック
（３）        金属製針金
（４）        ビニール
（５）        キャップ
（６）        上部キャップを固定する溝
（６−１）    下部キャップを固定する溝
（７）        上部Ｕ字型フックを差し込む穴
（７−１）    下部Ｕ字型フックを差し込む穴
（８）        接着剤
（９）        ビニールでコーティングした金属製針金
（１０）      上部一方の先端
（１０−１）  下部一方の先端
（１１）      上部他方の先端
（１１−１）  下部他方の先端
【要約】      （修正有）【課題】従来のジョイントホルダー、一体式のリング状のものが多く、直接文字や絵を描く部分がなかった。又、今までの他の技術ではコスト高であり、その課題を解決したプレートジョイントホルダーを提供する。【解決手段】木製の素材からなる、プレートジョイントホルダー本体１を背面から見て、上部と下部に両方に金属製の針金３をＵの字の形状にしたフックを備えた形状のジョイントホルダーであり、下にキーを掛ける場合も、上をバンドに掛ける場合も何の不便もなくした形状・構造のジョイントホルダーであり、裏表のプレートに手書きで文字を記載する事が出来る。【選択図】図３【図１】
0005848425.tif 000002
【図２】
0005848425.tif 000003
【図３】
0005848425.tif 000004
【図４】
0005848425.tif 000005
【図５】
0005848425.tif 000006